(57)【要約】【課題】電気掃除機の集塵パックを装着するバスケットの操作性を向上させる。【解決手段】塵埃パックである紙パック１７を着脱自在に固定して集塵室８に挿脱自在のバスケット１１を有し、ファンモータで負圧を発生して、塵埃を集塵室８に配置された紙パック１７に取り込む電気掃除機であって、バスケット１１には、紙パック１７の台紙１９を押圧してそれを固定するための固定圧力が付勢されたホルダー１４と、一端がホルダー１４に対向するように配置され、他端が固定圧力を解除する方向に押圧可能な紙パック捨てボタン１６として形成されたスライド自在の連結棒１５と、連結棒１５に回動自在に支持されたバスケット１１を持ち運びするためのハンドル２１とを備えた。【選択図】図６
2008036214.tif 000002
【特許請求の範囲】
【請求項１】
塵埃パックを着脱自在に固定して集塵室に挿脱自在のバスケットを有し、ファンモータで負圧を発生して、塵埃を前記集塵室に配置された前記塵埃パックに取り込む電気掃除機であって、前記バスケットには、
前記集塵パックの支持体を押圧して固定するための固定圧力が付勢されたホルダーと、
一端が前記ホルダーに対向するように配置され、他端が前記固定圧力を解除する方向に押圧可能なボタンに形成されたスライド自在の連結棒と、
前記連結棒に回動自在に支持された前記バスケットを持ち運びするためのハンドルとを備えた、ことを特徴とする電気掃除機。
【請求項２】
前記バスケットは、前記連結棒の前記ボタン側端部から前記ボタン側端部に近い方の前記ハンドルの回転支持部までに対応する長さを有し、前記ボタン側終端部に前記ボタン端面をカバー可能な立設面が形成された部材で、前記連結棒の下側の支点を中心に揺動自在に配置された揺動部材を備え、
前記バスケットが前記集塵室の外にあるときは、前記揺動部材の前記ハンドル回転支持部側が上昇位置にあってその端部が前記ハンドルと当接し該ハンドルの回動を制限するとともに、前記揺動部材の前記立設面は前記ボタンの端面を露出させた状態となり、
前記バスケットが前記集塵室に収納されると、前記揺動部材の前記ボタン側が電気掃除機本体の一部に当接して上昇し前記立設面が前記ボタンの端面をカバーするとともに、前記揺動部材の前記ハンドル回転支持部側が下降してその端部が前記ハンドルから離れ、前記ハンドルの回動制限を解除する構成となっていることを特徴とする請求項１記載の電気掃除機。
【請求項３】
塵埃パックを着脱自在に固定して集塵室に挿脱自在のバスケットを有し、ファンモータで負圧を発生して、塵埃を前記集塵室に配置された前記塵埃パックに取り込む電気掃除機であって、
前記集塵室と前記ファンモータとの間に集塵フィルターを装着した着脱自在のフィルター支持枠を備え、
前記フィルター支持枠は、前記バスケットの前記集塵室への挿入時に前記バスケットと接触して、前記バスケットを所定の位置へ位置決めする態様に配置されていることを特徴とする電気掃除機。
【請求項４】
前記フィルター支持枠が、前記バスケットの前記集塵室への挿入中には前記バスケットを圧接し、前記バスケットの前記集塵室への挿入終了時には前記バスケットから離隔する凸部を備えることを特徴とする請求項３記載の電気掃除機。
【請求項５】
前記集塵室を覆う上蓋を備え、
前記バスケットが所定の位置からずれて前記集塵室へ挿入された時に、挿入された前記バスケットに接触して前記上蓋を開状態に保持する干渉リブを、前記上蓋の内側に設けたことを特徴とする請求項３または４記載の電気掃除機。
【請求項６】
塵埃パックを着脱自在に固定して集塵室に挿脱自在のバスケットを有し、ファンモータで負圧を発生して、塵埃を前記集塵室に配置された前記塵埃パックに取り込む電気掃除機であって、
前記集塵室と前記ファンモータとの間に集塵フィルターを装着したフィルター支持枠を備え、
前記バスケットは、立側面を構成する側部枠体と側部枠体１１ａの上部から延設されて天面周囲を構成する上部枠体とを備え、それらの立側面及び天面周囲に複数の通気口が形成され、
前記フィルター支持枠の上部に、前記天面周囲の通気口から吹出された空気を前記集塵フィルター部分に導入する態様の風向ガイドが形成されていることを特徴とする電気掃除機。
【請求項７】
ファンモータで負圧を発生して、塵埃を集塵室に配置された塵埃パックに取り込む電気掃除機であって、
前記集塵室に隣接して前記ファンモータと該ファンモータに電気を供給するコードリールとが並置され、
前記集塵室と前記ファンモータとの間に集塵フィルターを配し、前記集塵室と前記コードリールとの間に、消臭触媒を配したことを特徴とする電気掃除機。
【請求項８】
複数の棧を有したフィルター支持枠を前記集塵室と前記ファンモータ及び前記コードリールとの間に配置し、前記フィルター支持枠に前記集塵フィルターと前記消臭触媒とを装着したことを特徴とする請求項７記載の電気掃除機。
【請求項９】
前記消臭触媒はハニカム状消臭触媒であり、該ハニカム状消臭触媒がカバー枠で囲まれて前記フィルター支持枠に固定されていることを特徴とする請求項８記載の電気掃除機。
【請求項１０】
前記集塵パックの消臭材に炭もしくは活性炭を用いたことを特徴とする請求項７〜９のいずれかに記載の電気掃除機。
【発明の詳細な説明】
【技術分野】
【０００１】
この発明は掃除機本体に関し、集塵室内に塵埃パック装着用のバスケットを備えた電気掃除機、並びに集塵室内に消臭材を配した電気掃除機に関する。
【背景技術】
【０００２】
従来、塵埃パック装着用のバスケットを備えた電気掃除機として、以下のようなものが知られている（例えば特許文献１、２）。また、集塵室内に消臭材を配した電気掃除機としては、以下のようなものが知られている（例えば特許文献３）。
特許文献１には、後方上部に回動自在のハンドルを備えたバスケットが、本体の集塵室に着脱自在に配設される構造の電気掃除機が開示されている。
また、特許文献２には、バスケットの前部と集塵室前部とにそれぞれリブ、もしくは凸部と凹部を設け、バスケットを位置決めをする構造の電気掃除機が開示されている。
そして、特許文献３には、フィルターに消臭成分を含浸させた構造の電気掃除機が開示されている。
【特許文献１】特開２０００−１０２５００号公報（請求項１、図７等）
【特許文献２】特許第３５４０６２０号明細書（請求項１、図９等）
【特許文献３】特開平６-２４５８８４号公報（請求項１、図１等）
【発明の開示】
【発明が解決しようとする課題】
【０００３】
特許文献１のように、バスケットの後部上方に回動自在にハンドルを軸支すると、ハンドルと紙パック固定用のホルダーとの距離が離れるために、ハンドルを持ちながら片手で紙パックの固定解除は行えず、両手を使う必要があり不便であった。
【０００４】
また、バスケットが集塵室内にセットされている状態で紙パック固定用のホルダーの解除動作ができてしまうと、バスケットを集塵室より取り出す前に誤って紙パックの固定を解除してしまい、そのままバスケットを引き出すと、紙パックが脱落し集塵室内にゴミが落ちてしまうおそれもある。
【０００５】
また、通常、集塵室を覆う上蓋は、回転支点となる回動軸を電気掃除機本体の長手方向に対して直交させ、上下に回動するので、上蓋を最も開いた状態で電気掃除機の長手方向略中央からやや後方にかけた位置に直立する。このため、バスケットを取り出す動作は、上方に持ち上げながら電気掃除機本体の前部側に引き出すことになる。しかしながら、バスケット後方上部に回動自在にハンドルを軸支した場合は、ハンドルの回動軸は電気掃除機本体の長手方向に対して直交するため、前述のバスケット取り出し動作を行うと、ハンドルの回動軸を中心に前後にバスケットがふらつく場合がある。
【０００６】
また、特許文献２のように、リブとリブ、あるいは凸部と凹部で位置決めを行う構造では、バスケットを集塵室に収納するときに、それらの係合をある程度狙って収納する必要があった。
【０００７】
また、集塵室内に紙パックをセットする電気掃除機において、万が一紙パックが破れた場合に、ファンモータへのゴミの侵入を防ぐために、集塵室のファンモータ側壁面の排気口にフィルターを配設するのが普通である。従来はこのフィルターの有無を検知する手段が無かったので、フィルターをセットしないまま使用される可能性があった。
【０００８】
また、紙パックが集塵室内や集塵蓋に密着すると空気の流れが無くなり、フィルターとしての効果を成さなくなるため、集塵室のファンモータ側壁面の排気口部に対する紙パックの一面しか有効利用されず、紙パックの目詰まりが早くなってしまっていた。
【０００９】
さらに、特許文献３のように、フィルターに消臭成分を含浸させた構成をとっている場合、その含浸量が限られて十分な消臭効果を得られない場合があった。
【００１０】
なお、活性炭等のハニカム消臭材を集塵蓋に配する構造もあったが、ハニカムの開口方向が集塵室内の前方からファンモータ側へと流れる風路に対し、直交する形になり、ハニカムの開口内には空気が流れずに、吸引力の低下につながる場合もあった。
【００１１】
この発明は上記の課題に鑑みてなされたもので、集塵パックと共に使用されるバスケットの操作性の向上、並びに集塵パックの耐久性（または持続力）の向上を図った電気掃除機を提供することを目的とする。
また、集塵力に影響を及ぼすことなく消臭効果を高めた電気掃除機を提供とすることも目的とする。
【課題を解決するための手段】
【００１２】
この発明の電気掃除機は、塵埃パックを着脱自在に固定して集塵室に挿脱自在のバスケットを有し、ファンモータで負圧を発生して、塵埃を前記集塵室に配置された前記塵埃パックに取り込む電気掃除機であって、前記バスケットには、前記集塵パックの支持体を押圧して固定するための固定圧力が付勢されたホルダーと、一端が前記ホルダーに対向するように配置され、他端が前記固定圧力を解除する方向に押圧可能なボタンに形成されたスライド自在の連結棒と、前記連結棒に回動自在に支持された前記バスケットを持ち運びするためのハンドルとを備えたものである。
【００１３】
また、塵埃パックを着脱自在に固定して集塵室に挿脱自在のバスケットを有し、ファンモータで負圧を発生して、塵埃を前記集塵室に配置された前記塵埃パックに取り込む電気掃除機であって、前記集塵室と前記ファンモータとの間に集塵フィルターを装着した着脱自在のフィルター支持枠を備え、前記フィルター支持枠は、前記バスケットの前記集塵室への挿入時に前記バスケットと接触して、前記バスケットを所定の位置へ位置決めする態様に配置されているものである。
【００１４】
また、塵埃パックを着脱自在に固定して集塵室に挿脱自在のバスケットを有し、ファンモータで負圧を発生して、塵埃を前記集塵室に配置された前記塵埃パックに取り込む電気掃除機であって、前記集塵室と前記ファンモータとの間に集塵フィルターを装着したフィルター支持枠を備え、前記バスケットは、立側面を構成する側部枠体と側部枠体１１ａの上部から延設されて天面周囲を構成する上部枠体とを備え、それらの立側面及び天面周囲に複数の通気口が形成され、前記フィルター支持枠の上部に、前記天面周囲の通気口から吹出された空気を前記集塵フィルター部分に導入する態様の風向ガイドが形成されているものである。
【００１５】
さらに、ファンモータで負圧を発生して、塵埃を集塵室に配置された塵埃パックに取り込む電気掃除機であって、前記集塵室に隣接して前記ファンモータと該ファンモータに電気を供給するコードリールとが並置され、前記集塵室と前記ファンモータとの間に集塵フィルターを配し、前記集塵室と前記コードリールとの間に消臭触媒を配したものである。
【発明の効果】
【００１６】
以上のような本発明によれば、集塵パックを固定するホルダーと集塵パックを捨てるのに使用するボタンとを連結棒を介して接続し、その連結棒をハンドルの回動軸としたため、ハンドルから集塵パックの捨てボタンまでの距離が短く、ハンドルをもったまま片手でボタンを操作して集塵パックを捨てることができる。また、非常にシンプルな構造でボタンとホルダーとを接続しているために、故障など起こりにくく信頼度が高い。
【００１７】
また、集塵室とファンモータとの間に集塵フィルターを装着したフィルター支持枠を備え、フィルター支持枠は、バスケットの集塵室への挿入時にバスケットと接触して、バスケットを所定の位置へ位置決めする態様に配置されているので、バスケットを集塵室に容易かつ適切に挿入できるとともに、フィルター支持枠がセットされていないときには、バスケットの位置が決まらず不自然な状態となるので、フィルター支持枠が無いことを容易に察知できる。
【００１８】
また、バスケットの天面周囲に複数の通気口が形成されるとともに、フィルター支持枠の上部に、天面周囲の通気口から吹出された空気を前記フィルター部分に導入する態様の風向ガイドが形成されていることで、集塵パックのバスケットへの密着が緩和され、これにより空気の通過を保って集塵パックの目詰まりを遅らせ、より多くの塵埃を吸塵することができる。
【００１９】
また、集塵室と吸塵用のファンモータとの間に集塵フィルターを配し、集塵室と電気供給用のコードリールとの間に消臭触媒を配したので、吸塵力に悪影響を及ぼすことなく、従来のフィルターに消臭成分を含浸した以上の量の消臭が可能となる。
【発明を実施するための最良の形態】
【００２０】
実施の形態１．
この発明の実施の形態１に係る電気掃除機を、以下の図１〜図８を参照しながら説明する。図１はこの発明の全ての実施の形態に共通な電気掃除機の全体を示す外観例示図、図２は実施の形態１の電気掃除機本体の上蓋を開いた斜視図（バスケットを取り外した状態）、図３は実施の形態１の電気掃除機本体の上蓋を開いた斜視図（バスケットを挿入した状態）、図４は実施の形態１に係るバスケットの斜視図、図５は図４のバスケットの紙パック固定用ホルダーを示した一部透視の斜視図、図６は紙パックを固定した状態のバスケットの中央部縦断面図、図７は図６に対応した部位を表し、ハンドルの回転軸である連結棒、紙パック固定用のホルダー、紙パック捨てボタンの関係を説明する図、図８は図４のバスケットを塵埃吸塵口側からみた正面図とそのハンドル部拡大図である。
なお、図７中の符号２４で示した揺動部材と、符号２８で示したフィルター支持枠は、後述する実施の形態２において説明する構成要素であり実施の形態１ではなくてもよい。
【００２１】
図１に示すように、電気掃除機は、電気掃除機本体１とホースなどの吸引附属品からなり、電気掃除機本体１の前側端にあるホース差込口１０にホース差込部２を接続し、ホース手元部３に延長パイプ４を接続し、延長パイプ４の先端に吸込具５を接続した状態で、通常は使用される。
【００２２】
図２に示すように、電気掃除機本体１は、上ケース６と下ケース７を備え、その内部には、前部に集塵室８が形成され、後部に負圧を発生して吸塵を行うファンモータや、ファンモータに電気を供給するのに使用するコードリールが配置されている。また、電気掃除機本体１の上部には、回動して集塵室８の上部を開閉する上蓋９が設けられている。そして、図３に示すように、集塵室８にはバスケット１１が挿脱自在に装着される。
【００２３】
バスケット１１は、その内側に集塵パックである紙パック１７を装着して、それを集塵室８に着脱するために用いられる。図４〜図７に示すように、バスケット１１は、立側面を構成する側部枠体１１ａと側部枠体１１ａの上部から延設されて天面周囲を構成する上部枠体１１ｂとを備え、左右の立側面と天面周囲に複数の通気口１３がそれぞれ形成されている。バスケット１１の前面にはホース差込口１０に対応する塵埃吸塵口１２が形成され、一方、ファンモータと対向する側の後面は完全に解放されている。
【００２４】
上部枠体１１ｂには、その前側上部中央部分に、紙パック１７の支持体である紙パック台紙１９を、着脱自在に固定するホルダー１４が、軸１８に回動自在に支持されている。ホルダー１４には、紙パック台紙１９を押圧して挟持固定するための固定圧力が押しバネ２０によって付勢されている。なお、固定圧力の付勢は、バネ以外の弾性体を利用して行ってもよい。
【００２５】
また、上部枠体１１ｂには、一端がホルダー１４に対向するように配置され、他端が上記固定圧力を解除する方向に押圧可能なボタン（以下、紙パック捨てボタンという）１６に形成されたスライド自在の連結棒１５と、連結棒１５に回動自在に支持されたバスケット１１を持ち運びするためのハンドル２１とを備えている。
ハンドル２１は連結棒１５に回動自在に軸支されおり、塵埃吸塵口１２側のハンドル回動支持部２１ａと上部枠体１１ｂとの間に挿入されたひねりバネ２２により、立ち上がり方向に付勢されている。ただし、図８に示すように、ハンドル２１は、紙パック捨てボタン１６側のハンドル回動支持部２１ｂ付近において、上部枠体１１ｂから上方に突出したハンドル固定部２３により、ほぼ直立状態で停止するように規制されている。
【００２６】
次に上記実施の形態１の動作について説明する。電気掃除機本体１の後部に内蔵されたファンモータにより、電気掃除機本体１内の集塵室８に負圧を発生させて吸込具５よりゴミを吸い込み、紙パック１７に溜める。そして必要に応じて、上蓋９を回動させて集塵室８よりバスケット１１を取り出し、紙パック１７を捨てるのが、電気掃除機の基本的な作用及び使用方法である。
【００２７】
紙パック１７をバスケット１１より外す際は、紙パック捨てボタン１６を押すだけでよい。紙パック捨てボタン１６は連結棒１５を介しホルダー１４と接してまたはわずかに離隔して対向しているので、紙パック捨てボタン１６が押されると、ホルダー１４は紙パック台紙１９の挟持を解除する方向へと押されて動き、紙パック１７がバスケット１１より外れる。このときハンドル２１は連結棒１５により回動自在に軸支されているので、結果的に連結棒１５の端部にある紙パック捨てボタン１６との距離は短く、ハンドル２１を持ったまま片手で紙パック捨てボタン１６の操作が可能となり、その操作性が向上する。
また、上記の構造では、紙パック捨てボタン１６とホルダー１４とが連結棒１５のみで一直線に連結されているために、非常にシンプルな構成となり、故障等の恐れも少なく信頼度の高い構造となっている。
【００２８】
実施の形態２．
ここでは、実施の形態１で説明したバスケット１１に、紙パック捨てボタン１６の誤操作を防止する揺動部材を追加した構成を説明する。
図９はこの発明の実施の形態２に係る電気掃除機本体の中央部断面図、図１０は図９の電気掃除機本体１からバスケット１１を取り外し中の中央部断面図、図１１は図１０における揺動部材の作用説明図であって、ハンドル２１部を塵埃吸塵口側からみた正面図（ａ）、ハンドル２１部の紙パック捨てボタン１６側を左方向から見た斜視図（ｂ）、ハンドル２１部の紙パック捨てボタン１６側を右方向から見た斜視図（ｃ）である。なお、これらの図中、２６は集塵室８とファンモータ室との間に形成されている排気口、２７は集塵フィルター、２８は集塵フィルター２７を装着するフィルター支持枠、３６はファンモータを表している。
【００２９】
バスケット１１は、連結棒１５の紙パック捨てボタン１６側端部から該ボタン１６側端部に近い方のハンドル回転支持部２１ｂまでに対応する長さを有し、連結棒１５の下側の揺動支点（軸）２５を中心に揺動自在に配置された揺動部材２４を備えている。揺動部材２４には、紙パック捨てボタン１６側終端部に該ボタン１６端面をカバー可能な立設面２４ａが形成され、ハンドル回転支持部２１ｂ側は、ハンドル２１の延設部３０と係合可能な棒状のストッパ部２４ｂとして形成されている。
【００３０】
次に、揺動部材２４の作用を説明する。バスケット１１が集塵室８の外にあるときは、揺動部材２４のハンドル回転支持部２１ｂ側が上昇し、その端部のストッパ部２４ｂがハンドル２１の延設部３０と係合し、ハンドル２１の回動を制限するとともに、揺動部材２４の立設面２４ａは紙パック捨てボタン１６の端面を露出させた状態となっている。このように、紙パック捨てボタン１６の端面が露出しているので、紙パック捨てボタン１６を押して連結棒１５を動作させ、紙パック１７を容易にバスケット１１から外すことができる。またこのとき、ハンドル２１の回動は、ストッパ部２４ｂにより制限されるとともに、ハンドル固定部２３によっても制限されるため、結局ハンドル２１は固定状態となり、バスケット１１を持ち運ぶ際にハンドル２１がふらつくこともない。
【００３１】
これに対し、バスケット１１が集塵室８に収納されると、揺動部材２４のボタン側が電気掃除機本体１の一部に当接して上昇し、揺動部材２４の立設面２４ａが紙パック捨てボタン１６の端面をカバーするとともに、揺動部材２４のハンドル回転支持部１３ｂ側が下降してストッパ部２４ｂがハンドル２１の延設部３０から離れ、ハンドル２１の回動制限を解除して、ハンドル２１を回転可能な状態とする。
従って、バスケット１１が集塵室８にセットされた状態では、紙パック捨てボタン１６を押すことはできなくなり、ホルダー１４の誤動作防止が可能となる。また、ハンドル２１を操作して、バスケット１１を集塵室８から取り外すことができる。
【００３２】
なお、上記の例で、揺動部材２４は揺動部材２４と揺動支点２５とのバランスにより重力で回動が行われるが、バネ等を用いて積極的に付勢を行っても同様の効果を得ることができる。
【００３３】
実施の形態３．
ここでは、集塵室内でのバスケットの位置決めを容易にする構造を図１２、図１３を基に説明する。図１２は実施形態３に係る集塵室内でのバスケットの状態を説明する図である。図１２において、これまでの図中の符号と同一の符号は、同一物または相当物を表している。図１２に示すように、この電気掃除機本体１は、紙パックを着脱自在に固定して集塵室８に挿脱自在のバスケット１１を有し、ファンモータ３６で負圧を発生して、塵埃を集塵室８に配置された紙パックに取り込む構造となっている。この構造において、集塵室８とファンモータ３６との間に、集塵フィルター２７が装着されたフィルター支持枠２８を備え、フィルター支持枠２８は、バスケット１１の集塵室８への挿入時に、バスケット１１の後側端部３２と接触してバスケット１１を所定の位置へ位置決めする態様に配置されている。
なお、図１２では、バスケット１１として、実施の形態１、２で説明したバスケットを使用しているが、バスケットは必ずしもそれに限定されるものではない。
【００３４】
バスケット１１が集塵室８に収納される際に、電気掃除機のホース差込口１０からバスケット１１の塵埃吸塵口１２に至るまでのゴミ漏れ防止として、集塵室８の前部に弾性体からなるシール材３１が配設され、それが塵埃吸塵口１２とラップする位置関係になる。このために何らかの位置決め構造をとらないと、バスケット１１がシール材３１に押されて後方にずれてしまい、正しく収納することができなかった。しかし、この実施の形態３のような構成とすることで、集塵室８にバスケット１１を挿入すると、バスケット１１は自然と集塵室８内の適正位置に位置決めされるという効果が得られる。
【００３５】
加えて、図１３に示すように、フィルター支持枠２８の上部に、バスケット１１の集塵室８への挿入中にはバスケット１１の後側端部３２に圧接し、バスケット１１の集塵室８への挿入終了時にはバスケット１１の後側端部３２から離隔するような凸部２８ａを備えると、バスケット１１の集塵室８への挿入終了が確実に実感でき、利用者の操作性がより向上する。この場合、バスケット１１の後側端部３２を、例えば、その上下方向の中間部をその上下部分より後側に突出させた領域とし、その突出領域をフィルター支持枠２８の凸部２８ａにより圧接される部分とすることができる。
【００３６】
さらに、図１４に示すように、フィルター支持枠２８が無いままバスケット１１を集塵室８に収納しようとした場合は、バスケット１１はシール部材３１と塵埃吸塵口１２との反発で所定の位置に収まらず、傾いてしまう。このように、バスケット１１が所定の位置からずれて集塵室８の中へ挿入された時に、挿入されたバスケット１１に接触して上蓋９が閉じられないようにする、すなわち上蓋９を開状態に保持する干渉リブ３３を上蓋９の内側に設けるのが好ましい。こうすることで、バスケット１１がフィルター支持枠２８に接触して集塵室８の適正位置に収まったときには、干渉リブ３３がバスケット１１と干渉しなくなって、上蓋９を閉じることが可能となる。これにより、バスケット１１の挿入時、フィルター支持枠２８の付け忘れが容易に防止できる。
【００３７】
実施の形態４．
電気掃除機を吸引すると、集塵室内の紙パックは大きく広がり、集塵室の壁面や集塵蓋にも密着する。このため従来は、集塵室のファンモータ側の壁面にある排気口近傍の紙パックの一部分しか、十分に空気が流れずに塵埃を濾し取る集塵フィルターとしての役割を果たせていなかった。そのため、細かい粉塵を吸った場合などは、紙パックにまだ十分に塵埃を吸引するスペースがあるにもかかわらず、排気口近傍の紙パックが目詰まりしてしまい、電気掃除機の吸引力が落ちて、紙パックを交換する必要があった。実施の形態４では、これに対処するための構造を提案する。
【００３８】
図１５は実施形態４に係る電気掃除機本体の上方からの斜視図、図１６は実施形態４に係る電気掃除機本体の側面からの構造説明図である。図１５、図１６において、これまでの図中の符号と同一の符号は、同一物または相当物を表している。図１５、図１６に示すように、この電気掃除機本体１は、紙パックを着脱自在に固定して集塵室８に挿脱自在のバスケット１１を有し、ファンモータで負圧を発生して、塵埃を集塵室８に配置された紙パックに取り込む構造となっている。集塵室８とファンモータ３６との間には集塵フィルター２７を装着したフィルター支持枠２８を備える（これは図９、図１０と同じ）。また、バスケット１１は、立側面を構成する側部枠体１１ａと側部枠体１１ａの上部から延設されて天面周囲を構成する上部枠体１１ｂとを備え、それらの立側面及び天面周囲に複数の通気口１３，３４が形成されている（これは図４、図５と同じ）。これに加えて、フィルター支持枠２８の上部に、上部枠体１１ｂの通気口（以下、サブ風路３４という）から吹出された空気を、集塵フィルター２７部分に導入する吸引風路３５を形成する態様に、風向ガイド２８ｂが形成されている。
【００３９】
実施の形態４の電気掃除機によれば、内側に紙パック（図６等に示した紙パック１７相当品）を装着したバスケット１１の上部枠体１１ｂに、紙パックと上蓋９との密着を防ぐサブ風路３４を設け、またフィルター枠２８の上部にもサブ風路３４から吹き出す空気を吸引するための吸引風路３５を設けているので、排気口２６近傍の紙パックが目詰まりを起したとしても、サブ風路３４近傍の紙パックから空気が流れるので、耐久性が向上し引き続き同じ紙パック１７を使い続けることができる。
また、サブ風路３４は、紙パックの上部にあるために、万が一、サブ風路３４近傍の紙パックが目詰まりを起しても、電気掃除機本体１はファンモータの回転振動や掃除中の引き回しなどにより常に振動を受けるために、重力で塵埃が落下して目詰まりを回避出できるので、紙パックの集塵容量いっぱいまでの塵埃を吸引することが可能となる。
【００４０】
実施の形態５．
実施の形態５は集塵室内に消臭材を配した電気掃除機に関する。図１７はこの発明の実施の形態５に係る電気掃除機の上面より見た一部透視図、図１８は実施形態５に係る電気掃除機本体の中央部断面図である。
この電気掃除機本体１Ａは、これまでに説明した電気掃除機本体１と同様、上ケースと下ケースを備え、前部にホース差込口１０及び集塵室８が形成され、後部に吸塵作用を生じさせるファンモータ３６や、ファンモータ３６に電気を供給するのに使用するコードリール３７が配置されている。また、電気掃除機本体１Ａの上部には、集塵室８の上部を開閉する上蓋９が設けられている。そして、集塵室８と、ファンモータ３６及びコードリール３７との間の集塵室ファンモータ側壁面には、集塵フィルター２７を着脱自在に装着したフィルター支持枠２８が取り付けられている。フィルター支持枠２８には、集塵フィルター２７と異なる領域に、消臭触媒であるハニカム消臭触媒４０を固定している。
なお、この電気掃除機本体１Ａは、実施形態１〜４で説明したバスケット１１を使用せずに、紙パック１７を集塵室８に装着するタイプとしている。
【００４１】
図１９は電気掃除機本体１Ａに装着されるフィルター支持枠２８の一例を示した正面図である。フィルター支持枠２８は、縦横に配された複数の棧３８が格子状に配置されていて、ファンモータ３６と対向する領域には集塵フィルター２７が着脱自在に装着され、コードリール３７と対向する領域にはハニカム状消臭触媒４０が取り付けられている。ハニカム状消臭触媒４０とは、光や酸素等に影響されて消臭作用を果たす触媒としての貴金属や有機物を、ハニカム状に形成したり、ハニカム状部材に付加したものである。
【００４２】
電気掃除機本体１Ａでは、ファンモータ３６により集塵室８内に負圧を発生させることにより、吸込具５より塵埃と空気を吸引し、ホース差込部１０を経由し集塵室８内に配置した紙パック１７により塵埃を濾し取り、塵埃は紙パック１７内に捕集される。そして空気は集塵フィルター２７及び集塵室ファンモータ側壁面排気口２６ａを通り、ファンモータ３６へと吸引され、排気口より大気中に排出される。
こような作用をする電気掃除機本体１Ａの集塵室ファンモータ側壁面２６に、図１９に示すようなフィルター枠体２８を配することにより、集塵フィルター２７などに消臭成分を含浸するときよりも高い消臭効果を得ることができる。
【００４３】
ハニカム状消臭触媒４０は、例えば図２０に示したように、フィルター支持枠２８とフィルターカバー枠４１とで挟み込んで取り付けることができる。なお、フィルター枠体２８とカバーフィルター体４１とはツメ等で固定し、使用者が容易に外すことはできない構造にしておくのが好ましい、その理由は、比較的壊れやすいハニカム状消臭触媒４０を使用者が直接触ることができなくなり、誤って壊してしまうことを防止できるからである。また、水洗いを行うときも、フィルター枠体２８を持ってハニカム状消臭触媒４０を水洗いできるので、メンテナンス性も高まる。
【００４４】
なお、定期的に交換し一般ゴミとして廃棄する紙パック１７の消臭材には、自然素材の炭もしくは活性炭を用い、通常電気掃除機の寿命まで廃棄しないハニカム状消臭触媒４０は、無機系の消臭成分を付加することにより、安全に多彩な臭いの消臭が可能となる。
また、図１９、図２０に示したフィルター枠体２８およびハニカム状消臭触媒４０の構成、及び自然素材の消臭材と他の消臭材との使い分けは、実施の形態１〜４の場合にも適用できる。
【産業上の利用可能性】
【００４５】
この発明は、紙パックを装着するバスケットを備える電気掃除機、または消臭材を備える電気掃除機に利用できる。なお、上記の各実施の形態は、適宜に組み合わせてもよい。
【図面の簡単な説明】
【００４６】
【図１】この発明に係る電気掃除機の全体構成を示す例示図。
【図２】実施形態１の電気掃除機本体の上蓋を開いた斜視図（バスケットを取り外した状態）。
【図３】実施形態１の電気掃除機本体の上蓋を開いた斜視図（バスケットを挿入した状態）。
【図４】実施形態１に係るバスケットの斜視図。
【図５】図４のバスケットの紙パック固定用ホルダーを示した一部透視の斜視図。
【図６】紙パックを固定した状態のバスケットの中央部縦断面図。
【図７】図６に対応した部位を表し、ハンドルの回転軸である連結棒、紙パック保持用のホルダー、紙パック捨てボタン及び揺動部材の関係を説明する図。
【図８】図４のバスケットを塵埃吸塵口側からみた正面図とそのハンドル部拡大図。
【図９】実施形態２に係る電気掃除機本体の中央部断面図。
【図１０】図９の電気掃除機本体からバスケット取り外し中の中央部断面図。
【図１１】図１０における揺動部材の作用説明図であって、ハンドル部を塵埃吸塵口側からみた正面図（ａ）、ハンドル部の紙パック捨てボタン側を左方向から見た斜視図（ｂ）、ハンドル部の紙パック捨てボタン側を右方向から見た斜視図（ｃ）。
【図１２】実施形態３に係る集塵室内でのバスケットの状態を説明する図。
【図１３】図１２のなかのフィルター支持枠の形状を変形した説明図。
【図１４】集塵室へのバスケットの不適切な挿入状態を説明する図。
【図１５】実施形態４に係る電気掃除機本体の上方からの斜視図。
【図１６】実施形態４に係る電気掃除機本体の側面からの構造説明図。
【図１７】実施形態５に係る電気掃除機本体の上方からみた内部構造説明図。
【図１８】実施形態５に係る電気掃除機本体の中央部断面図。
【図１９】図１７の電気掃除機本体に装着されるフィルター支持枠の正面図。
【図２０】フィルター支持枠へのハニカム状消臭触媒の取り付け方法の説明図。
【符号の説明】
【００４７】
１，１Ａ  電気掃除機本体、２  ホース差込部、３  ホース手元部、４  延長パイプ、５  吸込具、６  上ケース、７  下ケース、８  集塵室、９  上蓋、１０  ホース差込口、１１  バスケット、１１ａ  バスケットの側部枠体、１１ｂ  バスケットの上部枠体、１２  塵埃吸塵口、１３  通気口、１４  ホルダー、１５  連結棒、１６  紙パック捨てボタン、１７  紙パック、１８  ホルダー軸、１９  紙パック台紙、２０  押しバネ、２１  ハンドル、２１ａ，２１ｂ  ハンドル回転支持部、２２  ひねりバネ、２３  ハンドル固定部、２４  揺動部材、２４ａ  揺動部材の立設面、２４ｂ  揺動部材のストッパ部、２５  揺動部材の揺動支点、２６  集塵室ファンモータ側壁面、２６ａ  集塵室ファンモータ側壁面排気口、２７  集塵フィルター、２８  フィルター支持枠、２８ａ  フィルター支持枠の凸部、２８ｂ  フィルター支持枠の風向ガイド、３０  ハンドルの延設部、３１  シール部材、３２  バスケット後側端部、３３  干渉リブ、３４  サブ風路、３５  吸引風路、３６  ファンモータ、３７  コードリール、３８  棧、４０  ハニカム状消臭触媒、４１  フィルターカバー枠。
【図１】
2008036214.tif 000003
【図２】
2008036214.tif 000004
【図３】
2008036214.tif 000005
【図４】
2008036214.tif 000006
【図５】
2008036214.tif 000007
【図６】
2008036214.tif 000008
【図７】
2008036214.tif 000009
【図８】
2008036214.tif 000010
【図９】
2008036214.tif 000011
【図１０】
2008036214.tif 000012
【図１１】
2008036214.tif 000013
【図１２】
2008036214.tif 000014
【図１３】
2008036214.tif 000015
【図１４】
2008036214.tif 000016
【図１５】
2008036214.tif 000017
【図１６】
2008036214.tif 000018
【図１７】
2008036214.tif 000019
【図１８】
2008036214.tif 000020
【図１９】
2008036214.tif 000021
【図２０】
2008036214.tif 000022